(57)【要約】【課題】遊技機の遊技内容に関する説明が記載された説明書が邪魔になってしまうのを回避するとともに見栄えを向上させることができ、且つ、説明書の一部が遊技中の遊技者の手と干渉してしまうのを防止することができる島設備の台間装置を提供する。【解決手段】エアカーテンを形成可能な島設備の台間装置１において、隣接するパチンコ遊技機Ｐのうち一方のパチンコ遊技機Ｐに対応して当該パチンコ遊技機Ｐの側方近傍に設置可能とされた装置本体２と、該装置本体２内に形成され、当該装置本体２の前面側で開口した挿入口２ｃを有するとともに、遊技機の遊技内容に関する説明が記載された説明書Ａを当該挿入口２ｃから挿入させて収容するための収容部２２とを備え、収容部２２に収容された説明書Ａの一部を挿入口２ｃから外部に向かって任意方向に延設させた状態とし得るものである。【選択図】図９
2011036451.tif 000002
【特許請求の範囲】
【請求項１】
島設備の隣接する遊技機間に設置され、前方に向かって送風することによりエアカーテンを形成可能な島設備の台間装置において、
隣接する遊技機のうち一方の遊技機に対応して当該遊技機の側方近傍に設置可能とされた装置本体と、
該装置本体内に形成され、当該装置本体の前面側で開口した挿入口を有するとともに、前記遊技機の遊技内容に関する説明が記載された説明書を当該挿入口から挿入させて収容可能な収容部と、
を備えるとともに、当該収容部に収容された説明書の一部を挿入口から外部に向かって任意方向に延設させた状態とし得ることを特徴とする島設備の台間装置。
【請求項２】
前記収容部は、前記装置本体と対応する前記遊技機から遠ざかる方向に前記説明書の一部を延設させつつ収容し得ることを特徴とする請求項１記載の島設備の台間装置。
【請求項３】
前記挿入口の左右何れかの縁部に凸条部を形成し、当該凸条部により前記収容部に収容された説明書の一部を当該挿入口から外部に向かって任意方向に延設させた状態とし得ることを特徴とする請求項１又は請求項２記載の島設備の台間装置。
【請求項４】
前記収容部は、前記説明書の大きさに応じた収容空間を有するとともに、当該収容空間が左右方向に対して任意角度で傾斜して形成されることにより、前記収容部に収容された説明書の一部を当該挿入口から外部に向かって任意方向に延設させた状態とし得ることを特徴とする請求項１又は請求項２記載の島設備の台間装置。
【請求項５】
前記装置本体には、その側方近傍の遊技機における前面扉の開放を規制するロック手段が配設されたことを特徴とする請求項１〜４の何れか１つに記載の島設備の台間装置。
【発明の詳細な説明】
【技術分野】
【０００１】
本発明は、島設備の隣接する遊技機間に設置され、前方に向かって送風することによりエアカーテンを形成可能な島設備の台間装置に関するものである。
【背景技術】
【０００２】
通常、パチンコ店内に設置された島設備には、複数の遊技機（パチンコ遊技機やスロットマシン等）が並設されており、その隣接する遊技機間には台間装置が設置されている。然るに、遊技者の煙草の煙等が隣接した遊技機の遊技者に至ってしまうのを抑制すべく、従来より、前方に送風するファン等を設け、当該ファン等を駆動させることによりエアカーテンを形成可能な台間装置が提案されるに至っている。
【０００３】
例えば、特許文献１で開示されているように、台間装置内にファン等の送風機を配設するとともに、装置本体の前面側に空気の吸入口及び吐出口がそれぞれ形成され、当該送風機を駆動させることにより前方（遊技者側）に向かって吐出口から送風してエアカーテンを形成し得るようになっていた。かかるエアカーテンにより、隣の遊技機まで煙草の煙等が至ってしまうのを抑制することができる。
【０００４】
ところで、近時における遊技機（パチンコ遊技機及びスロットマシン等の何れも同様）は、その遊技内容が多様且つ複雑化するに至っており、その遊技機の遊技内容（予告リーチに対する信頼度等）に関する説明が記載された説明書を各遊技機毎に備えている場合が多くなっている。このような説明書は、通常、上述した台間装置と遊技機との間の僅かな隙間に差し込まれたり或いは当該台間装置の前面に固定されたクリップ等にて挟持されており、遊技者が必要に応じて説明書を手に取って見ることができるようになっている。
【先行技術文献】
【特許文献】
【０００５】
【特許文献１】特開平１０−１１８３２７号公報
【発明の概要】
【発明が解決しようとする課題】
【０００６】
しかしながら、説明書を遊技者が見ないとき、その説明書を台間装置と遊技機との間の僅かな隙間に差し込んだり或いは当該台間装置に固定されたクリップ等にて挟持させるものであったので、説明書が遊技者側に大きく張り出してしまい、邪魔になってしまうととともに見栄えが悪化してしまうという問題があった。そこで、本出願人は、島設備において各遊技機と隣接して設置される台間装置の内部を利用して説明書を収容することを検討するに至った。
【０００７】
然るに、台間装置内に説明書を差し込んで収容させるようにした場合、遊技者が容易に取り出し得るようにすべく、収容した説明書の一部が外部に突出した状態とする必要があるが、その突出した部分が例えばパチンコ遊技機のハンドルを操作する遊技者の手に干渉してしまう虞があった。
【０００８】
本発明は、このような事情に鑑みてなされたもので、遊技機の遊技内容に関する説明が記載された説明書が邪魔になってしまうのを回避するとともに見栄えを向上させることができ、且つ、説明書の一部が遊技中の遊技者の手と干渉してしまうのを防止することができる島設備の台間装置を提供することにある。
【課題を解決するための手段】
【０００９】
請求項１記載の発明は、島設備の隣接する遊技機間に設置され、前方に向かって送風することによりエアカーテンを形成可能な島設備の台間装置において、隣接する遊技機のうち一方の遊技機に対応して当該遊技機の側方近傍に設置可能とされた装置本体と、該装置本体内に形成され、当該装置本体の前面側で開口した挿入口を有するとともに、前記遊技機の遊技内容に関する説明が記載された説明書を当該挿入口から挿入させて収容可能な収容部とを備えるとともに、当該収容部に収容された説明書の一部を挿入口から外部に向かって任意方向に延設させた状態とし得ることを特徴とする。
【００１０】
請求項２記載の発明は、請求項１記載の島設備の台間装置において、前記収容部は、前記装置本体と対応する前記遊技機から遠ざかる方向に前記説明書の一部を延設させつつ収容し得ることを特徴とする。
【００１１】
請求項３記載の発明は、請求項１又は請求項２記載の島設備の台間装置において、前記挿入口の左右何れかの縁部に凸条部を形成し、当該凸条部により前記収容部に収容された説明書の一部を当該挿入口から外部に向かって任意方向に延設させた状態とし得ることを特徴とする。
【００１２】
請求項４記載の発明は、請求項１又は請求項２記載の島設備の台間装置において、前記収容部は、前記説明書の大きさに応じた収容空間を有するとともに、当該収容空間が左右方向に対して任意角度で傾斜して形成されることにより、前記収容部に収容された説明書の一部を当該挿入口から外部に向かって任意方向に延設させた状態とし得ることを特徴とする。
【００１３】
請求項５記載の発明は、請求項１〜４の何れか１つに記載の台間装置において、前記装置本体には、その側方近傍の遊技機における前面扉の開放を規制するロック手段が配設されたことを特徴とする。
【発明の効果】
【００１４】
請求項１の発明によれば、遊技機の遊技内容に関する説明が記載された説明書を収容部に収容させることができるとともに、当該収容部に収容された説明書の一部を挿入口から外部に向かって任意方向に延設させた状態とし得るので、説明書が邪魔になってしまうのを回避するとともに見栄えを向上させることができ、且つ、説明書の一部が遊技中の遊技者の手と干渉してしまうのを防止することができる。
【００１５】
請求項２の発明によれば、収容部は、装置本体と対応する前記遊技機から遠ざかる方向に説明書の一部を延設させつつ収容し得るので、説明書の一部が対応する遊技機において遊技中の遊技者の手と干渉してしまうのをより確実に防止することができる。
【００１６】
請求項３の発明によれば、挿入口の左右何れかの縁部に凸条部を形成し、当該凸条部により収容部に収容された説明書の一部を当該挿入口から外部に向かって任意方向に延設させた状態とし得るので、より簡易な構成で説明書の一部が遊技中の遊技者の手と干渉してしまうのを防止することができる。
【００１７】
請求項４の発明によれば、収容部は、説明書の大きさに応じた収容空間を有するとともに、当該収容空間が左右方向に対して任意角度で傾斜して形成されることにより、収容部に収容された説明書の一部を当該挿入口から外部に向かって任意方向に延設させた状態とし得るので、より確実に説明書の一部を外部に向かって任意方向に延設させることができる。
【００１８】
請求項５の発明によれば、装置本体には、その側方近傍の遊技機における前面扉の開放を規制するロック手段が配設されたので、エアカーテンの形成及び説明書の収容に加えて、遊技機の前面扉が不正に開放されるのを防止する機能を付加した台間装置とすることができる。
【図面の簡単な説明】
【００１９】
【図１】本発明の実施形態に係る島設備の台間装置を示す正面図
【図２】同台間装置の内部構成を示す側面図
【図３】同台間装置を示す背面図
【図４】同台間装置におけるロック手段（摺動前）の詳細を示す側面図
【図５】同台間装置におけるロック手段（摺動前）の詳細を示す断面図
【図６】同台間装置におけるロック手段（摺動後）の詳細を示す側面図
【図７】同台間装置におけるロック手段（摺動後）の詳細を示す断面図
【図８】同台間装置におけるロック手段のロック部材を示す拡大図
【図９】同台間装置における収容部を示す断面図
【図１０】本発明の他の実施形態に係る島設備の台間装置における収容部を示す模式図
【図１１】同台間装置が設置される島設備全体を示す模式図
【発明を実施するための形態】
【００２０】
以下、本発明の実施形態について図面を参照しながら具体的に説明する。
本実施形態に係る島設備の台間装置は、図１１に示すように、パチンコ遊技店における島設備Ｓの隣接するパチンコ遊技機Ｐ間に設置され、前方（同図中手前側）に向かって送風することによりエアカーテンを形成可能なものであり、図１〜３に示すように、装置本体２と、ファン部材３と、モータ４と、吸入口５と、吐出口６と、案内部材１２と、制御基板１４と、収容部２２とを有して構成されている。
【００２１】
装置本体２は、台間装置１の筐体を成すもので全体として上下に細長い箱型形状とされており、島設備Ｓにおけるパチンコ遊技機Ｐの側方近傍に設置可能とされるとともに内部に種々構成要素が収容されている。より具体的には、装置本体２は、隣接するパチンコ遊技機Ｐのうち一方のパチンコ遊技機Ｐ（本実施形態においては左側のパチンコ遊技機Ｐ）に対応して当該パチンコ遊技機Ｐの側方近傍に設置可能とされている。かかる装置本体２は、上下寸法がパチンコ遊技機Ｐの高さ寸法と略同一とされており、その前面２ａを島設備Ｓの前方に臨ませつつ背面２ｂ及び側面（上面及び下面も同様）を島設備Ｓ内に臨ませて固定されるようになっている。
【００２２】
本実施形態に係る装置本体２には、その側方近傍のパチンコ遊技機Ｐにおける前面扉の開放を規制するロック手段１３が配設されている。かかるロック手段１３は、図２及び図４〜８に示すように、装置本体２の前後方向に亘って固定された摺動レール１９と、該摺動レール１９に沿って摺動して前進又は後退可能とされた可動部材２０と、該可動部材２０の先端に形成されたロック部材１３ａと、可動部材２０を前進側に付勢するスプリングｓと、可動部材２０を所定位置で係止させる係止部材１５と、該係止部材１５を動作させるソレノイド２３とから主に構成されている。尚、図中符号１８は、後退した状態のロック部材１３ａの周囲を覆うカバー部材を示しており、かかるカバー部材１８で覆われた状態ではロック部材１３ａの揺動が規制されるようになっている。
【００２３】
可動部材２０には、その長手方向に亘って複数（本実施形態においては４つ）の転動部材２１が形成されている。かかる転動部材２１は、それぞれが摺動レール１９に対して当接しつつ転動自在に配設されており、可動部材２０の摺動に伴って転動することにより、当該可動部材２０の摺動を滑らか且つスムーズに行わせ得るよう構成されている。ロック部材１３ａは、フック状に形成された例えば樹脂成形品から成るもので、図８に示すように、可動部材２０の先端に形成された軸Ｌを中心に揺動自在（フリーな状態）とされている。
【００２４】
係止部材１５は、揺動軸１５ｂを中心に揺動自在とされるとともに、スプリング（不図示）によって常時上方へ付勢されており、その先端には可動部材２０の外周面に形成された凹凸形状の被係止部２０ａに対して係止可能な爪部１５ａが形成されている。而して、爪部１５ａが被係止部２０ａに係止することにより可動部材２０を係止することができ、図２、５で示す如く、ロック部材１３ａを後退側で保持させることができる。この状態においては、その側方近傍のパチンコ遊技機Ｐにおける前面扉（前面枠及びガラス枠）の前方近傍にロック部材１３ａが位置することとなり、当該前面扉の開放を規制し得るようになっている。
【００２５】
また、ソレノイド２３は、その作動軸２３ａが係止部材１５と連結されており、当該ソレノイド２３に通電して作動軸２３ａを作動させることにより、係止部材１５をスプリング（不図示）の付勢力に抗して揺動させ得るよう構成されている。これにより、爪部１５ａが被係止部２０から離間して係止が解かれることとなり、可動部材２０がスプリングｓの付勢力で前進側に摺動し得るようになっている。而して、可動部材２０が前進側に摺動すると、図６、７に示すように、ロック部材１３ａがパチンコ遊技機Ｐにおける前面扉から更に前方に遠ざかり、当該前面枠の開放を許容し得るようになっている。
【００２６】
また、装置本体２には、その前面２ａ上部に操作手段７（後で詳述する）、表示灯９及び噴出口１０が形成されている。表示灯９は、複数個のＬＥＤで形成され、ファン部材３の駆動状態（モータ４の駆動状態）やロック手段１３の作動状態を点灯表示し得るようになっている。噴出口１０は、静電霧化微粒子水発生装置１１（図２参照）で生じた帯電微粒子水を前方（遊技者側）に噴霧させるための開口である。当該静電霧化微粒子水発生装置１１は、背面２ｂに設けたノズル１１ａから水を供給することにより、この水を静電霧化作用で帯電微粒子水とするためのものであり、これにより、遊技者近傍の空気が清浄化されたり加湿されて、快適な遊技空間が得られるようになっている。
【００２７】
ファン部材３は、所謂クロスフローファンと称されるファンから成り、図２に示すように、装置本体２内で上下方向に延びた回転軸を中心に回転可能に配設されるとともに、側面に送風のための羽根が形成された略円筒状のものから成る。かかるファン部材３は、フレームにおいて回転自在に取り付けられており、当該フレームの上部にはモータ４が形成されている。
【００２８】
当該モータ４は、ファン部材３を回転軸を中心として回転駆動させるための駆動源である。而して、本実施形態においては、ファン部材３とモータ４とを同一フレームに組み付けて一体とすることにより送風ユニットＹを構成しており、当該送風ユニットＹが装置本体２内において上下方向に複数（本実施形態においては２つ）並設されている。尚、本実施形態においては、送風ユニットＹが上下に２つ配設されているが、上下方向に亘って１つ配設したもの、或いは３つ以上配設したものとしてもよい。即ち、装置本体２に形成された吸入口５及び吐出口６の形成位置や他の構成要素の配設関係に応じて送風ユニットＹを任意の位置で配設することができるのである。
【００２９】
吸入口５は、装置本体２の背面２ｂで開口し、ファン部材３の回転駆動により当該装置本体２内に空気を吸入し得るものである。尚、吸入口５の他、装置本体２の側面で開口し、ファン部材３の回転駆動により当該装置本体２内に空気を吸入し得る吸入口も形成されている。然るに、本実施形態においては、吸入口５は、装置本体２の背面２ｂ及び側面に形成されているが、前面２ａ以外の他の面（装置本体２の上面又は下面）に形成するようにしてもよい。尚、図２中符号１６は吸入口５を覆った活性炭フィルタを示しており、当該吸入口５から吸入される空気を濾過して浄化し得るようになっている。
【００３０】
吐出口６は、装置本体２の前面２ａ側で上下方向に延びてスリット状に開口し、ファン部材３の回転駆動により吸入口５から吸入した空気を吐出させることにより前方に向かって送風し得るものであり、かかる送風により隣接するパチンコ遊技機Ｐ間において所謂エアカーテンを形成することができる。即ち、本実施形態においては、吸入口５が装置本体２の背面２ｂ（及び側面）に形成されているため、吐出口６を装置本体２の前面２ａにおける広い範囲に亘って形成させることができ、エアカーテンの高さ方向（上下方向）の幅（空気の流れで形成される壁の高さ）を大きく設定することができるのである。
【００３１】
更に、装置本体２の前面２ａ上部には、ファン部材３の駆動をオン・オフ操作（即ち、モータ４のオン・オフ操作）するための又は当該ファン部材３の回転速度を任意に調整するための操作手段７が配設されている。具体的には、かかる操作手段７は、押圧操作及び回転操作が可能な操作摘みから成り、押圧操作によりファン部材３が回転駆動開始又は停止されるとともに、回転操作により可変抵抗器８（図２参照）を作用させてモータ４に送られる電流を変化させ、当該ファン部材３を任意の回転速度に調整し得るようになっている。
【００３２】
案内部材１２は、ファン部材３からの送風を吐出口６まで案内するもので、装置本体２の内部空間を左右に仕切る仕切板から成り、その表面でファン部材３からの送風を吐出口６まで導いて案内させるようになっている。即ち、ファン部材３の回転駆動により吸入口５から吸入した空気は、吐出口６に向かって流れる過程において、案内部材１２の表面で整流されつつ当該吐出口６に導かれて案内されるよう構成されているのである。
【００３３】
更に、上下の案内部材１２のうち上方に取り付けられた案内部材１２における裏面には、図２に示すように、所定の電気回路が形成された制御基板１４が取り付けられている。かかる制御基板１４は、装置本体２内に配設された種々電機部品（モータ４やソレノイド２３等）を制御するためのマイコン等を具備したプリント基板から成るもので、ネジ等の汎用的締結手段にて案内部材１２の裏面側に固定されている。
【００３４】
これにより、ファン部材３からの送風により、エアカーテンを形成することができるのに加え、制御基板１４の冷却を図ることができる。即ち、エアカーテンを形成するための送風を流用し、その送風にて制御基板１４におけるマイコン等が過熱してしまうのを抑制することができるのである。而して、制御基板１４の過熱を防止することができるとともに当該制御基板１４のための別個の冷却手段が不要とされる。尚、図２中符号１７は、制御基板１４から突出形成された冷却手段を示している。
【００３５】
ここで、本実施形態においては、装置本体２内に収容部２２が形成されている。かかる収容部２２は、装置本体２の前面２ａ側で開口した挿入口２ｃを有するとともに、パチンコ遊技機Ｐの遊技内容に関する説明が記載された説明書Ａを当該挿入口２ｃから挿入させて収容するためのものである。説明書Ａは、例えば表面及び裏面が樹脂でコーティングされた紙或いは樹脂製のシートから成るもので、リーチの信頼度や遊技の進め方等がイラスト等と共に記載されたものである。
【００３６】
然るに、収容部２２は、図９に示すように、説明書Ａの大きさに対応した収容空間２２ｂを有し、その収容空間２２ｂの一部が天板２２ｃにて形成されている。かかる天板２２ｃは、上記案内部材１２と同様の高さに設定されており、これによってもファン部材３からの送風を吐出口６まで案内し得るようになっている。即ち、天板２２ｃは、収容部２２を形成するための部位と、ファン部材３からの送風を吐出口６まで案内する部位とを兼ねているのである。
【００３７】
更に、収容部２２には、収容した説明書Ａを係止するための係止手段２２ａが形成されている。かかる係止手段２２ａは、天板２２ｃから収容空間２２ｂに延設され、所定の弾力を有した金属製板材を屈曲形成したものから成り、挿入口２ｃから挿入されて収容部２２内に収容した状態の説明書Ａに対し、その弾力にて押圧して係止可能とされている。このように、本実施形態においては、収容部２２が、収容した説明書Ａを係止する係止手段２２ａを有したので、説明書Ａの収容状態を確実に保持させることができる。
【００３８】
上記実施形態によれば、パチンコ遊技機Ｐの遊技内容に関する説明が記載された説明書Ａを収容部２２に収容させることができるので、当該説明書Ａが遊技者側に大きく張り出して、邪魔になってしまうのを回避するとともに当該説明書Ａが散乱した状態を回避することができ見栄えを向上させることができる。尚、挿入口２ｃの周囲の何れかの位置に、説明書Ａを収容させる旨の表示や記載等を行うのが好ましく、更には当該位置にＬＥＤ等の発光手段等を配設し、当該発光手段が点灯又は点滅することにより説明書Ａの参考を促すようにしてもよい。
【００３９】
また更に、本実施形態においては、挿入口２ｃの左側縁部（対応するパチンコ遊技機Ｐが位置する側の縁部）に凸条部２ｄが形成されている。かかる凸条部２ｄは、挿入口２ｃにおける開口の内側に突出すべく左側縁部に沿って形成されたもので、挿入口２ｃが形成された部品と一体成形されて成る。尚、挿入口２ｃの左側縁部に別個の部品から成る凸条部２ｄを取り付けるようにしてもよい。
【００４０】
然るに、上記凸条部２ｄが形成されることにより、図９に示すように、収容部２２に収容された説明書Ａの一部を挿入口２ｃから外部に向かって任意方向（本実施形態の場合は、装置本体２に対応するパチンコ遊技機Ｐから遠ざかる方向）に延設させた状態とすることができる。即ち、説明書Ａにおける挿入口２ｃから外部に臨ませた一部は、凸条部２ｄと当接することによって延設方向が図９中右側に向けられることとなり、パチンコ遊技機Ｐにおける特にハンドルＨから遠ざかるようになっているのである。尚、ハンドルＨは、パチンコ遊技機Ｐに配設され、遊技者が把持しつつ回動操作することにより遊技盤に遊技球を発射させ得るものである。
【００４１】
更に、本実施形態においては、挿入口２ｃから外部に臨ませた説明書Ａの一部が側方近傍に設置されたパチンコ遊技機Ｐから遠ざかる方向に延設するのを補助すべく係止手段２２ａにて説明書Ａを押圧している。即ち、説明書Ａに対する凸条部２ｄによる当接と係止手段２２ａによる当接との両者を行わせることにより、より確実に、収容部２２に収容された説明書Ａの一部を挿入口２ｃから外部に向かって任意方向（本実施形態の場合は、側方近傍に設置されたパチンコ遊技機Ｐから遠ざかる方向）に延設させた状態とすることができるのである。
【００４２】
本実施形態によれば、説明書Ａを収容部２２に収容させることができるとともに、当該収容部２２に収容された説明書Ａの一部を挿入口２ｃから外部に向かって任意方向（対応するパチンコ遊技機Ｐにおける特にハンドルＨから遠ざかる方向）に延設させた状態とし得るので、説明書Ａが邪魔になってしまうのを回避するとともに見栄えを向上させることができ、且つ、説明書Ａの一部がハンドルＨを把持して遊技中の遊技者の手と干渉してしまうのを防止することができる。
【００４３】
尚、本実施形態においては、装置本体２と対応するパチンコ遊技機Ｐから遠ざかる方向に説明書Ａの外部に臨んだ一部を延設させているが、隣接する他のパチンコ遊技機Ｐ（対応するパチンコ遊技機Ｐと反対側に位置するパチンコ遊技機Ｐ）における左側縁部に遊技者側に突出した何らかの構成部品がある場合は、その構成部品との干渉を回避すべく、上記実施形態における説明書Ａと逆の向き（隣接する他のパチンコ遊技機から遠ざかる方向）に延設させるようにしてもよい。然るに、本実施形態によれば、収容部２２は、装置本体２と対応するパチンコ遊技機Ｐから遠ざかる方向に説明書の一部を延設させたので、説明書Ａの一部が遊技中の遊技者の手と干渉してしまうのをより確実に防止することができる。
【００４４】
更に、挿入口２ｃの左側縁部に凸条部２ｄを形成し、当該凸条部２ｄにより収容部２２に収容された説明書Ａの一部を当該挿入口２ｃから外部に向かって任意方向（パチンコ遊技機Ｐにおける特にハンドルＨから遠ざかる方向）に延設させた状態とし得るので、より簡易な構成で説明書Ａの一部が遊技中の遊技者の手と干渉してしまうのを防止することができる。尚、上述したように、上記実施形態における説明書Ａと逆の向き（隣接する他のパチンコ遊技機から遠ざかる方向）に延設させる場合は、凸条部２ｄを挿入口２ｃの右側縁部に形成する。
【００４５】
また更に、本実施形態によれば、装置本体２には、その側方近傍のパチンコ遊技機Ｐにおける前面扉の開放を規制するロック手段１３が配設されたので、エアカーテンの形成及び説明書Ａの収容に加えて、パチンコ遊技機Ｐの前面扉が不正に開放されるのを防止する機能を付加した台間装置とすることができる。尚、ロック手段１３は、装置本体２に対して何れの部位に配設してもよい。
【００４６】
然るに、装置本体２内で上下方向に延びた回転軸を中心に回転可能に配設されるとともに側面に送風のための羽根が形成された略円筒状のファン部材３を有し、且つ、吸入口５が装置本体２の背面２ｂ（及び側面）で開口し、吐出口６が当該装置本体２の前面２ａ側で上下方向に延びて開口したので、高さ方向に十分幅広いエアカーテンを形成することができ、煙草の煙等の遮断効果を十分に発揮し得る。
【００４７】
また、ファン部材３とモータ４とを組み付けた送風ユニットＹを具備し、当該送風ユニットＹを装置本体２内において上下方向に複数並設させたので、高さ方向に十分幅広いエアカーテンを形成することができるとともに、装置本体２内のレイアウトの自由度を向上させることができる。即ち、送風ユニットＹを上下方向に複数並設させる構成とすることにより、吸入口５（側面の吸入口も同様）及び吐出口６の形成位置や他の構成要素の配設関係に応じて送風ユニットＹを任意の位置で配設することができ、レイアウトの自由度を向上させ得るのである。
【００４８】
更に、装置本体２には、ファン部材３の駆動をオン・オフ操作するための又は当該ファン部材３の回転速度を任意に調整するための操作手段７が形成されたので、遊技者や遊技店の従業員等が必要に応じてファン部材３を駆動させ或いは当該ファン部材３の回転速度を使用状況に応じて調整することができる。尚、本実施形態に係る操作手段７は、押圧操作及び回転操作が可能な操作摘みで構成されているが、他の形態の操作手段（例えば、ファン部材３の駆動をオン・オフ操作するための操作手段と、当該ファン部材３の回転速度を任意に調整するための操作手段とを別個に配設したもの）としてもよい。
【００４９】
以上、本実施形態について説明したが、本発明はこれに限定されるものではなく、例えば図１０に示すように、収容部２２’は、説明書Ａの大きさに応じた収容空間２２’ａを有するとともに、当該収容空間２２’ａが左右方向に対して任意角度で傾斜して形成されることにより、収容部２２’に収容された説明書Ａの一部を当該挿入口２ｃから外部に向かって任意方向（同図においては、パチンコ遊技機Ｐにおける特にハンドルＨから遠ざかる方向であるが、反対の方向であってもよい。）に延設させた状態とするようにしてもよい。
【００５０】
尚、ロック手段１３、操作手段７、表示灯９及び静電霧化微粒子水発生装置１１等を具備しないもの（即ち、エアカーテンを形成するとともに説明書Ａを収容し得る台間装置等）としてもよく、更には他の機能が付加されたもの（例えば、プリペイドカード投入口等が形成された台間装置等）としてもよい。また、本実施形態に係るロック手段に代えて他の形態のもの（例えば、ロック部材１３ａが揺動してロック位置と非ロック位置との間で動作するもの等）としてもよい。更に、本実施形態においては、収容した前記説明書を係止する係止手段２２ａが屈曲形成されて弾力を有した金属製部品とされているが、他の形態のもの（例えば、収容空間２２ｂ内に一体的に突出形成された凸部等）としてもよい。尚、収容部２２は、本実施形態の如く挿入口２ｃにて開口した箱状の空間から成るものに限定されず、説明書Ａを保持し得る枠状のもの等であってもよい。
【００５１】
また更に、本実施形態においては、送風手段として所謂クロスフローファンと称されるファンが用いられているが、吐出口に向かって送風し得る他の形態のもの（例えばシロッコファン等）としてもよい。尚、ロック手段１３を具備しないものとした場合、装置本体２の前面２ａに形成されるべき吐出口６を上下方向に更に延ばすことができる。また、本実施形態においては、パチンコ遊技機Ｐが並設された島設備Ｓに適用されているが、スロットマシン等他の遊技機が並設された島設備に適用することができる。
【産業上の利用可能性】
【００５２】
装置本体内に形成され、当該装置本体の前面側で開口した挿入口を有するとともに、遊技機の遊技内容に関する説明が記載された説明書を当該挿入口から挿入させて収容するための収容部を備えるとともに、当該収容部に収容された説明書の一部を挿入口から外部に向かって任意方向に延設させた状態とし得る島設備の台間装置であれば、外観形状が異なるもの或いは他の機能が付加されたもの等にも適用できる。
【符号の説明】
【００５３】
１  台間装置
２  装置本体
２ｃ  挿入口
３  ファン部材
４  モータ
５  吸入口
６  吐出口
７  操作手段
８  可変抵抗器
９  表示灯
１０  噴出口
１１  静電霧化微粒子水発生装置
１２  案内部材
１３  ロック手段
１４  制御基板
１５  係止部材
１６  活性炭フィルタ
１７  冷却手段
１８  カバー部材
１９  摺動レール
２０  可動部材
２１  転動部材
２２  収容部
２２ａ  係止手段
２３  ソレノイド
Ｓ  島設備
Ｐ  パチンコ遊技機
【図１】
2011036451.tif 000003
【図２】
2011036451.tif 000004
【図３】
2011036451.tif 000005
【図４】
2011036451.tif 000006
【図５】
2011036451.tif 000007
【図６】
2011036451.tif 000008
【図７】
2011036451.tif 000009
【図８】
2011036451.tif 000010
【図９】
2011036451.tif 000011
【図１０】
2011036451.tif 000012
【図１１】
2011036451.tif 000013